(57)【要約】【課題】  作業者が安心して作業できる架線作業方法を提供することを課題とする。【解決手段】  本発明に係る架線作業方法は、鉄塔間に架設される架線に対して作業する架線作業方法において、作業対象となる対象線を支持するための支持ネットが対象線の下方側に位置するように、支持ネットを鉄塔間に架設する工程と、支持ネットが対象線を支持するように、対象線を支持ネット上に下ろす工程とを備えることを特徴とする。【選択図】  図２
2014003798.tif 000002
【特許請求の範囲】
【請求項１】
鉄塔間に架設される架線に対して作業する架線作業方法において、
作業対象となる対象線を支持するための支持ネットが対象線の下方側に位置するように、支持ネットを鉄塔間に架設する工程と、
支持ネットが対象線を支持するように、対象線を支持ネット上に下ろす工程とを備えることを特徴とする架線作業方法。
【請求項２】
支持ネットは、鉄塔間に架設される一対の主線と、主線間に架設される複数の副線とを備える請求項１に記載の架線作業方法。
【請求項３】
鉄塔間に架設され且つ停電する一方の既設線と、鉄塔間に架設され且つ通電する他方の既設線とが、水平方向に並列される電力設備に対し、
支持ネットに支持される対象線が一方の既設線側に位置するように、他方の既設線側に位置する他方の主線を、一方の既設線側に位置する一方の主線よりも上方に位置させる工程を備える請求項２に記載の架線作業方法。
【請求項４】
鉄塔間に架設される対象線よりも下方に位置し且つ鉄塔間に架設される既設線を備える電力設備に対し、
各副線の一端側が既設線に接続されることで当該既設線が一方の主線を構成するように、各副線の一端部に取り付けられる吊り具を当該既設線に順次吊る工程を備える請求項２又は３に記載の架線作業方法。
【請求項５】
各副線の他端部が他方の主線に固定されており、
他方の主線の一方側を一方の鉄塔に固定する工程と、他方の主線の他方側を他方の鉄塔に固定する工程とを備える請求項４に記載の架線作業方法。
【請求項６】
鉄塔間に架設される架線に対して作業する際に、作業対象となる対象線を支持する支持ネットであって、
鉄塔間に架設される一対の主線と、主線間に架設される複数の副線とを備えることを特徴とする支持ネット。
【請求項７】
鉄塔間に架設される対象線よりも下方に位置し且つ鉄塔間に架設される既設線を備える電力設備に対し、
各副線の一端側を既設線に接続することで一方の主線を当該既設線で構成すべく、各副線の一端部に取り付けられ、当該既設線に吊られる吊り具を備える請求項６に記載の支持ネット。
【発明の詳細な説明】
【技術分野】
【０００１】
本発明は、鉄塔間に架設される架線に対して作業する架線作業方法に関する。また、本発明は、鉄塔間に架設される架線に対して作業する際に、作業対象となる対象線を支持する支持ネットに関する。
【背景技術】
【０００２】
従来、鉄塔間に架設される架線に対して作業する架線作業として、架線（例えば、送電線や架空地線）の交換、点検、補修や、架線の付属品（例えば、架線のねじれを抑制するダンパ）の交換、点検、補修等がある。そして、斯かる架線作業において、例えば、架線が断線すると、架線やその付属品が地上に落下する。したがって、架線やその付属品が地上に落下することを防止すべく、作業対象となる架線の下方に防護ネットを設ける架線作業方法が知られている（例えば、特許文献１）。
【先行技術文献】
【特許文献】
【０００３】
【特許文献１】特開２００７−３７３１４号公報
【０００４】
ところで、特許文献１に係る架設作業方法において、例えば、張力を有する（張力状態の）架線が断線すると、架線やその付属品が予測不能に勢い良く動く。したがって、作業者は、架線作業中、架線が切断するか等の細心の注意を払っていた。
【発明の概要】
【発明が解決しようとする課題】
【０００５】
よって、本発明は、斯かる事情に鑑み、作業者が安心して作業できる架線作業方法及び支持ネットを提供することを課題とする。
【課題を解決するための手段】
【０００６】
本発明に係る架線作業方法は、鉄塔間に架設される架線に対して作業する架線作業方法において、作業対象となる対象線を支持するための支持ネットが対象線の下方側に位置するように、支持ネットを鉄塔間に架設する工程と、支持ネットが対象線を支持するように、対象線を支持ネット上に下ろす工程とを備えることを特徴とする。
【０００７】
本発明に係る架線作業方法によれば、作業対象となる対象線を支持するための支持ネットが鉄塔間に架設されると、支持ネットが対象線の下方側に位置する。そして、対象線が支持ネット上に下ろされると、支持ネットが対象線を支持する。これにより、張力状態の対象線が無張力（張力のない）状態となるため、例えば、対象線が断線することを防止できる。
【０００８】
また、本発明に係る架線作業方法においては、支持ネットは、鉄塔間に架設される一対の主線と、主線間に架設される複数の副線とを備えてもよい。
【０００９】
斯かる架線作業方法によれば、複数の副線が、鉄塔間に架設される一対の主線間に架設されている。これにより、対象線が支持ネット上に下ろされると、複数の副線が対象線を下方側から支持する。
【００１０】
また、本発明に係る架線作業方法においては、鉄塔間に架設され且つ停電する一方の既設線と、鉄塔間に架設され且つ通電する他方の既設線とが、水平方向に並列される電力設備に対し、支持ネットに支持される対象線が一方の既設線側に位置するように、他方の既設線側に位置する他方の主線を、一方の既設線側に位置する一方の主線よりも上方に位置させる工程を備えてもよい。
【００１１】
斯かる架線作業方法によれば、鉄塔間に架設され且つ停電する一方の既設線と、鉄塔間に架設され且つ通電する他方の既設線とが、水平方向に並列されている。そして、他方の既設線側に位置する他方の主線が、一方の既設線側に位置する一方の主線よりも上方に位置されることで、支持ネットに支持される対象線が一方の既設線側に位置する。
【００１２】
これにより、例えば、作業者が停電している一方の既設線側で作業できるため、作業者が通電している他方の既設線に感電することを防止できる。また、対象線が一方の既設線側に位置するため、例えば、一方の既設線に吊られる宙乗器を利用する際に、対象線が宙乗器の傍に位置しているため、架線作業を容易に行うことができる。
【００１３】
また、本発明に係る架線作業方法においては、鉄塔間に架設される対象線よりも下方に位置し且つ鉄塔間に架設される既設線を備える電力設備に対し、各副線の一端側が既設線に接続されることで当該既設線が一方の主線を構成するように、各副線の一端部に取り付けられる吊り具を当該既設線に順次吊る工程を備えてもよい。
【００１４】
斯かる架線作業方法によれば、既設線は、鉄塔間に架設される対象線よりも下方に位置し、且つ鉄塔間に架設されている。また、各副線の一端部には、吊り具が配設されている。そして、吊り具が当該既設線に順次吊られることで、各副線の一端側が当該既設線に接続される。これにより、当該既設線が一方の主線を構成するため、既設線を、一方の主線として利用することができる。
【００１５】
また、本発明に係る架線作業方法においては、各副線の他端部が他方の主線に固定されており、他方の主線の一方側を一方の鉄塔に固定する工程と、他方の主線の他方側を他方の鉄塔に固定する工程とを備えてもよい。
【００１６】
斯かる架線作業方法によれば、各副線の他端部が他方の主線に固定されている。そして、各副線の一端部に取り付けられる吊り具が一方の主線となる既設線に順次吊るされ、しかも、他方の主線の一方側が一方の鉄塔に固定されると共に、他方の主線の他方側が他方の鉄塔に固定されることで、支持ネットを鉄塔間に架設することができる。
【００１７】
また、本発明に係る支持ネットは、鉄塔間に架設される架線に対して作業する際に、作業対象となる対象線を支持する支持ネットであって、鉄塔間に架設される一対の主線と、主線間に架設される複数の副線とを備えることを特徴とする。
【００１８】
また、本発明に係る支持ネットにおいては、鉄塔間に架設される対象線よりも下方に位置し且つ鉄塔間に架設される既設線を備える電力設備に対し、各副線の一端側を既設線に接続することで一方の主線を当該既設線で構成すべく、各副線の一端部に取り付けられ、当該既設線に吊られる吊り具を備えてもよい。
【発明の効果】
【００１９】
以上の如く、本発明によれば、作業者が安心して作業できるという優れた効果を奏する。
【図面の簡単な説明】
【００２０】
【図１】本発明の一実施形態に係る支持ネットが設置される電力設備の要部斜視図を示す。
【図２】同実施形態に係る支持ネットの要部斜視図を示す。
【図３】同実施形態に係る支持ネットの要部正面図を示す。
【図４】同実施形態に係る支持ネットの図３のIV−IV線断面図を示す。
【図５】同実施形態に係る支持ネットを使用する架線作業方法を説明する要部正面図を示す。
【図６】同実施形態に係る支持ネットを使用する架線作業方法を説明する要部正面図を示す。
【図７】同実施形態に係る支持ネットを使用する架線作業方法を説明する要部正面図を示す。
【図８】同実施形態に係る支持ネットを使用する架線作業方法を説明する要部正面図を示す。
【図９】同実施形態に係る支持ネットを使用する架線作業方法を説明する要部正面図を示す。
【図１０】同実施形態に係る支持ネットを使用する架線作業方法を説明する要部平面図を示す。
【図１１】同実施形態に係る支持ネットを使用する架線作業方法を説明する要部正面図を示す。
【図１２】同実施形態に係る支持ネットを使用する架線作業方法を説明する要部平面図を示す。
【図１３】同実施形態に係る支持ネットを使用する架線作業方法を説明する図１２のＸIII−ＸIII線断面図を示す。
【図１４】同実施形態に係る支持ネットを使用する架線作業方法を説明する要部正面図を示す。
【発明を実施するための形態】
【００２１】
以下、本発明に係る支持ネット及び架線作業方法における一実施形態について、図１〜図１４を参酌して説明する。まず、本実施形態に係る支持ネットの各構成を説明するのに先立って、作業対象となる電力設備について説明する。
【００２２】
電力設備は、図１に示すように、複数の鉄塔９１，…と、鉄塔９１，９１間に架設される複数の架線９２，９３，９４，…と備える。そして、各架線９２（９３，９４）は、着雪時のストリートジャンプ現象による短絡事故を防止すべく、着雪を発達させる電線のねじれが発生することを抑制させるダンパ９２ａ（９３ａ，９４ａ），…を複数備えている。
【００２３】
なお、複数の架線９２，９３，９４，…には、各鉄塔９１の一方側の腕金に固定される一方の送電線９２，…と、各鉄塔９１の他方側の腕金に固定される他方の送電線９３，…と、各送電線９２，９３への直撃雷の防止や誘導雷の低減のために、各鉄塔９１の上端部に固定され、各送電線９２，９３よりも上方に配置される架空地線９４とが設けられている。
【００２４】
一方の各送電線９２と他方の各送電線９３とは、水平方向に並列されている。また、一方の送電線９２，…は、それぞれ鉛直方向に並列されていると共に、他方の送電線９３，…も、それぞれ鉛直方向に並列されている。なお、本実施形態において、各送電線９２，９３は、鋼心アルミより線２００ｍｍ2 とし、架空地線９４は、亜鉛メッキ鋼より線７０ｍｍ2 としている。
【００２５】
図２〜図４に示すように、本実施形態に係る支持ネット１は、鉄塔９１，９１間に架設される一対の主線２，２と、主線２，２間に架設される複数の副線３，…とを備える。なお、本実施形態において、一対の主線２，２のうち、一方の主線（以下、「第１の主線」ともいう）２は、一方の送電線９２，…のうち、最上に位置している送電線９２を利用している。なお、図２において、支持ネット１は、太線で図示されている。
【００２６】
そして、支持ネット１は、各副線３の一端側を第１の主線２（一方の送電線９２）に接続すべく、各副線３の一端部に取り付けられ且つ第１の主線２（一方の送電線９２）に吊られる吊り具４，…を複数備える。また、支持ネット１は、各副線３の他端部を他方の主線（以下、「第２の主線」ともいう）２に固定する副線固定部５，…を複数備える。さらに、支持ネット１は、第２の主線２の一方側を一方の鉄塔９１に固定する第１の主線固定部６と、第２の主線２の他方側を他方の鉄塔９１に固定する第２の主線固定部７とを備える。
【００２７】
第２の主線２は、絶縁性を有すると共に伸縮性に乏しく形成されている。例えば、本実施形態において、第２の主線２は、アラミド繊維からなる芯材を、ポリエステル繊維やポリウレタン樹脂やナイロン等の被覆材で被覆した直径９ｍｍの線としている。また、第２の主線２は、鉄塔９１，９１間の距離よりも長く形成されている。そして、第２の主線２は、第１の主線２（一方の送電線９２）よりも上方に位置するように、鉄塔９１，９１間に架設されている。
【００２８】
各副線３は、絶縁性を有すると共に伸縮性に乏しく形成されている。例えば、本実施形態において、各副線３は、アラミド繊維からなる芯材を、ポリエステル繊維やポリウレタン樹脂やナイロン等の被覆材で被覆した直径６ｍｍの線としている。また、各副線３は、本実施形態において、４ｍの長さに形成されている。
【００２９】
吊り具４は、第１の主線２（一方の送電線９２）に挿通される筒状の本体４１と、本体４１の内部に配置される一対の転動体４２，４３とを備えている。そして、吊り具４は、副線３の一端部を本体４１に回動可能に接続する接続部４４を備えている。
【００３０】
本体４１は、第１の主線２（一方の送電線９２）を内部に挿入するために、開閉可能で且つ閉状態でロック可能な開閉機構を備えている。具体的には、本体４１は、筒状体の一部を開放している基部４１１と、基部４１１の開放している部位を覆うことにより、基部４１１とで筒状体を構成すると共に、基部４１１の開放する部位を開閉すべく、基部４１１に枢着される可動部４１２と、可動部４１２を係止して基部４１１に固定させる係止部４１３とを備えている。
【００３１】
斯かる構成によれば、係止部４１３を操作することで、可動部４１２を基部４１１に対して可動できる。そして、基部４１１の一部が開放されるため、第１の主線２（一方の送電線９２）を本体４１の内部に挿入できる。そして、基部４１１の開放されている部位を可動部４１２で閉塞し、係止部４１３を操作することで、係止部４１３に係止された可動部４１２が基部４１１に固定される。これにより、基部４１１と可動部４１とが筒状体を形成するため、本体４１の内部に挿通された第１の主線２（一方の送電線９２）が吊り具４（本体４１）から離脱することを防止している。
【００３２】
一対の転動体４２，４３は、相互間に第１の主線２（一方の送電線９２）を配置するように、離間して配置されている。そして、各転動体４２，４３は、第１の主線２（一方の送電線９２）が挿通される方向と直交する方向を中心に回転できるため、外周部が第１の主線２（一方の送電線９２）と接することにより転動する。即ち、各転動体４２，４３は、吊滑車の機能を有する。また、各転動体４２，４３の外周部は、各転動体４２，４３の軸線方向の中央部が凹状となるように、形成されている。
【００３３】
各副線固定部５は、例えば、締結金具により、第２の主線２と副線３の他端部とを固定している。なお、各副線固定部５は、第２の主線２と副線３の他端部とを固定できればよく、その構成については特に限定されない。
【００３４】
第１の主線固定部６は、例えば、締結金具により、第２の主線２の一方側と一方の鉄塔９１とを固定している。なお、第１の主線固定部６は、第２の主線２の一方側と一方の鉄塔９１とを固定できればよく、その構成については特に限定されない。
【００３５】
第２の主線固定部７は、他方の鉄塔９１の上方側に取り付けられる滑車７１と、他方の鉄塔９１の下方側に取り付けられ、第２の主線２の他方側を巻き取ったり戻したりする巻揚装置（ウインチ）７２とを備える（図９、図１１、図１４参照）。なお、第２の主線固定部７は、第２の主線２の他方側と他方の鉄塔９１とを固定できればよく、その構成については特に限定されない。
【００３６】
本実施形態に係る支持ネット１の構成については以上の通りであり、次に、本実施形態に係る架線作業方法について、図５〜図１４を参酌して説明する。なお、図６〜図１４において、複数ある一方の送電線９２，…のうち、最上に位置している送電線９２のみが図示され、複数ある他方の送電線９３，…のうち、最上に位置している送電線９３のみが図示されている。また、図６〜図１４において、支持ネット１（その構成部）は、太線で図示されている。
【００３７】
本実施形態に係る架線作業方法は、一方の送電線９２，…が停電しており、且つ他方の送電線９３，…が通電している状態で実施する作業方法とする。また、本実施形態に係る架線作業は、架空地線９４のダンパ９４ａを交換する作業とする。
【００３８】
図５に示すような電力設備に対して、まず、図６に示すように、一方の鉄塔９１の上方側に誘導用滑車８１を取り付ける。そして、最上に位置する一方の送電線９２に接続された宙乗器８２に乗り（作業者は図示していない）、支持ネット１を誘導するための誘導具８３の端部を持ちつつ、一方の鉄塔９１から他方の鉄塔９１に向けて、一方の送電線９２を渡っていく。
【００３９】
なお、誘導具８３には、一方の送電線９２に順次吊られる複数の金車８３ａ，…と、誘導用滑車８１に掛けられ、金車８３ａ，…同士を接続する接続線８３ｂとが設けられている。また、吊られた金車８３ａ（及び、後に吊られる吊り具４）が一方の送電線９２上を自由に移動できるように、一方の送電線９２を渡る際に、一方の送電線９２に設けられる各ダンパ９２ａを取り外していく。
【００４０】
そして、一方の送電線９２を渡って、他方の鉄塔９１に到達した後、図７に示すように、他方の鉄塔９１に、第２の主線固定部７の滑車７１を取り付ける。このとき、第２の主線固定部７の滑車７１は、一方の送電線９２よりも上方の位置で、他方の鉄塔９１に固定されている。
【００４１】
また、滑車７１に掛けられた第２の主線２の一方側を誘導具８３（接続線８３ｂ）の端部に接続する。そして、一方の鉄塔９１に固定されている誘導用巻揚装置８４が、接続線８３ｂを巻き取ると、第２の主線２が一方の鉄塔９１に向けて誘導される。このとき、各副線３の一端部に取り付けられている吊り具４を、一方の送電線９２に順次吊っていく。
【００４２】
その後、図８に示すように、第２の主線２の一方側が一方の鉄塔９１に到達すると、第２の主線２は、一対の鉄塔９１，９１間に亘って配置されると共に、複数の吊り具４，…は、所定間隔を有し、一方の送電線９２に吊られて接続されている。そして、図９及び図１０に示すように、第１の主線固定部６で、第２の主線２の一方側を一方の鉄塔９１に固定する。このとき、第２の主線２の一方側は、一方の送電線９２よりも上方の位置で、一方の鉄塔９１に固定される。
【００４３】
さらに、他方の鉄塔９２に固定されている第２の主線固定部７の巻揚装置７２が、第２の主線２の他端側を巻き取ると、図１１〜図１３に示すように、第２の主線２に張力が作用する。そして、第２の主線固定部７の巻揚装置７２が第２の主線２の巻き取りを終了すると、第２の主線２の他方側が他方の鉄塔９１に固定される。
【００４４】
これにより、一方の送電線９２で第１の主線２を構成する支持ネット１が、鉄塔９１，９１間に架設される。そして、支持ネット１は、作業対象である架空地線９４よりも下方側に位置している。さらに、他方の送電線９３側に位置する第２の主線２は、一方の送電線９２、即ち、第１の主線２よりも上方に位置しており、それにより、各副線３は、他端部から一端部に向けて、下方側へ傾斜している。
【００４５】
そして、張力状態の架空地線９４と他方の鉄塔９１とを張線器（シメラー）８５で接続し、張線器８５により架空地線９４の張力を緩ませる。これにより、架空地線９４が支持ネット１上に下ろされ無張力（張力のない）状態になる。このとき、各副線３が他端部から一端部に向けて下方側へ傾斜しているため、架空地線９４は、支持ネット１上の第１の主線２（一方の送電線９２）に向けて（図１３の矢印方向に）移動し、第１の主線２（一方の送電線９２）寄りに位置決めされる。
【００４６】
その後、図１４に示すように、第１の主線２（一方の送電線９２）に接続された宙乗器８２に乗り（作業者は図示していない）、交換する架空地線９４のダンパ９４ａの位置へ移動し、ダンパ９４ａを交換する。このようにして、無張力状態の架空地線９４に対して、ダンパ９４ａを交換することができる。なお、上記工程を反対に行うことで、架空地線９４を復旧することができる。
【００４７】
以上より、本実施形態に係る架線作業方法は、鉄塔９１，９１間に架設される架空地線９４を支持するための支持ネット１が架空地線９４の下方側に位置するように、支持ネット１を鉄塔９１，９１間に架設する工程と、支持ネット１が架空地線９４を支持するように、架空地線９４を支持ネット１上に下ろす工程とを備えている。
【００４８】
斯かる架線作業方法においては、架空地線９４を支持するための支持ネット１が鉄塔９１，９１間に架設されると、支持ネット１が架空地線９４の下方側に位置する。そして、架空地線９４が支持ネット１上に下ろされると、支持ネット１が架空地線９４を支持する。これにより、架空地線９４が無張力状態となるため、架空地線９４が断線することを防止できる。したがって、作業者が安心して作業できる。
【００４９】
また、本実施形態に係る架線作業方法においては、支持ネット１は、鉄塔９１，９１間に架設される一対の主線２，２と、主線２，２間に架設される複数の副線３，…とを備えている。
【００５０】
即ち、本実施形態に係る支持ネット１は、鉄塔９１，９１間に架設される架空地線９４に対して作業する際に、作業対象となる架空地線９４を支持する支持ネット１であって、鉄塔９１，９１間に架設される一対の主線２，２と、主線２，２間に架設される複数の副線３，…とを備えている。
【００５１】
斯かる架線作業方法においては、複数の副線３，…が、鉄塔９１，９１間に架設される一対の主線２，２間に架設されている。これにより、架空地線９４が支持ネット１上に下ろされると、複数の副線３，…が架空地線９４を下方側から支持する。
【００５２】
また、本実施形態に係る架線作業方法においては、鉄塔９１，９１間に架設され且つ停電する一方の送電線９２と、鉄塔９１，９１間に架設され且つ通電する他方の送電線９３とが、水平方向に並列される電力設備に対し、支持ネット１に支持される架空地線９４が一方の送電線９２側に位置するように、他方の送電線９３側に位置する第２の主線２を、第１の主線２（一方の送電線９２）よりも上方に位置させる工程を備えている。
【００５３】
斯かる架線作業方法においては、鉄塔９１，９１間に架設され且つ停電する一方の送電線９２と、鉄塔９１，９１間に架設され且つ通電する他方の送電線９３とが、水平方向に並列されている。そして、他方の送電線９３側に位置する第２の主線２が、第１の主線２（一方の送電線９２）よりも上方に位置されることで、支持ネット１に支持される架空地線９４が一方の送電線９２側に位置する。
【００５４】
これにより、作業者が停電している一方の送電線９２側で作業できるため、作業者が通電している他方の送電線９３で感電することを防止できる。また、架空地線９４が一方の送電線９２側に位置するため、一方の送電線９２に吊られる宙乗器８２を利用する際に、架空地線９４が宙乗器８２の傍に位置しているため、架空地線９４のダンパ９４ａの交換作業を容易に行うことができる。
【００５５】
また、本実施形態に係る架線作業方法においては、鉄塔９１，９１間に架設される架空地線９４よりも下方に位置し且つ鉄塔９１，９１間に架設される一方の送電線９２を備える電力設備に対し、各副線３の一端側が一方の送電線９２に接続されることで一方の送電線９２が一方の主線２を構成するように、各副線３の一端部に取り付けられる吊り具４を一方の送電線９２に順次吊る工程を備えている。
【００５６】
即ち、本実施形態に係る支持ネットにおいては、鉄塔９１，９１間に架設される架空地線９４よりも下方に位置し且つ鉄塔９１，９１間に架設される送電線９２，９３，…を備える電力設備に対し、各副線３の一端側を一方の送電線９２に接続することで一方の主線２を当該一方の送電線９２で構成すべく、各副線３の一端部に取り付けられ、当該一方の送電線９２に吊られる吊り具４を備えている。
【００５７】
斯かる架線作業方法においては、一方の送電線９２は、鉄塔９１，９１間に架設される架空地線９４よりも下方に位置し、且つ鉄塔９１，９１間に架設されている。また、各副線３の一端部には、吊り具４が取り付けられている。そして、吊り具４が一方の送電線９２に順次吊られることで、各副線３の一端側が一方の送電線９２に接続される。これにより、一方の送電線９２が第１の主線２を構成するため、一方の送電線９２を第１の主線２として利用することができる。
【００５８】
また、本実施形態に係る架線作業方法においては、各副線３の他端部が第２の主線２に固定されており、第２の主線２の一方側を一方の鉄塔９１に固定する工程と、第２の主線２の他方側を他方の鉄塔９１に固定する工程とを備えている。
【００５９】
斯かる架線作業方法によれば、各副線３の他端部が第２の主線２に固定されている。そして、各副線３の一端部に取り付けられる吊り具４が一方の主線２となる一方の送電線９２に順次吊るされ、しかも、他方の主線２の一方側が一方の鉄塔９１に固定されると共に、他方の主線２の他方側が他方の鉄塔９１に固定されることで、支持ネット１を鉄塔９１，９１間に架設することができる。
【００６０】
なお、本発明に係る架線作業方法及び支持ネットは、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００６１】
例えば、上記実施形態においては、作業対象となる架線が架空地線９４である構成（方法）を説明したが、斯かる構成（方法）に限られない。具体的には、作業対象となる架線が送電線９２，９３である構成（方法）でもよく、例えば、作業対象となる架線が最上に位置する一方の送電線９２である構成（方法）でもよく、斯かる構成において、第１の主線２を上から２番目に位置する一方の送電線９２で構成してもよい。
【００６２】
また、上記実施形態においては、架線作業が架空地線９４のダンパ９４ａを交換する構成（方法）を説明したが、斯かる構成（方法）に限られない。例えば、作業が架空地線９４や各送電線９２，９３の交換、点検、補修等である構成（方法）でもよく、作業が架空地線９４や各送電線９２，９３の付属品の交換、点検、補修等である構成（方法）でもよい。
【００６３】
また、上記実施形態においては、支持ネット１は、一対の主線２，２と、主線２，２間に架設される複数の副線３，…とを備える構成を説明したが、斯かる構成に限られない。例えば、支持ネットは、鉄塔９１，９１間に架設される主線を三線以上備える構成でもよく、また、一対の主線と、主線間に架設される帯状又は網目状のネット部とを備える構成でもよい。
【００６４】
また、上記実施形態においては、一方の主線２は、既設されている既設線、即ち、一方の送電線９２である構成（方法）を説明したが、斯かる構成（方法）に限られない。例えば、一方の主線は、既設線とは別に設けられる構成（方法）であって、鉄塔９１，９１間に架設される構成（方法）でもよい。
【００６５】
また、上記実施形態においては、宙乗器８２に乗って、誘導具８３を一方の送電線９２に展開した後に、第２の主線２を一方の鉄塔９１に誘導する構成（方法）を説明したが、斯かる構成（方法）に限られない。例えば、一方の送電線９２上を走行可能な自送機により、第２の主線２を一方の鉄塔９１に誘導する構成（方法）でもよい。
【００６６】
また、上記実施形態においては、架空地線９４の一部を支持ネット１上に下ろす構成（方法）を説明したが、斯かる構成（方法）に限られない。例えば、架空地線９４の全体を支持ネット１上に下ろす構成（方法）でもよい。
【符号の説明】
【００６７】
１…支持ネット、２…主線、３…副線、４…吊り具、９１…鉄塔、９２，９３…送電線、９４…架空地線
【図１】
2014003798.tif 000003
【図２】
2014003798.tif 000004
【図３】
2014003798.tif 000005
【図４】
2014003798.tif 000006
【図５】
2014003798.tif 000007
【図６】
2014003798.tif 000008
【図７】
2014003798.tif 000009
【図８】
2014003798.tif 000010
【図９】
2014003798.tif 000011
【図１０】
2014003798.tif 000012
【図１１】
2014003798.tif 000013
【図１２】
2014003798.tif 000014
【図１３】
2014003798.tif 000015
【図１４】
2014003798.tif 000016